【手続補正書】
【提出日】平成17年3月15日(2005.3.15)
【手続補正１】
【補正対象書類名】明細書
【補正対象項目名】全文
【補正方法】変更
【補正の内容】
【書類名】  明細書
【発明の名称】  電気掃除機用吸込具及びそれを用いた電気掃除機
【特許請求の範囲】
【請求項１】  下方に塵埃吸引用の開口を有する吸込室と、掃除機本体に連通接続される吸込継手と、外気を取り入れるバイパス吸気口と、前記バイパス吸気口と吸込室を連通するバイパス通路を備え、前記バイパス通路に、前記バイパス吸気口から流入するバイパス気流を吸音する第一の吸音材Ａと、吸込継手から吸込室へ漏れる透過音を吸音する第二の吸音材Ｂを設けた電気掃除機用吸込具。
【請求項２】  吸込室には、回転自在に軸支された回転ブラシが構成された請求項１記載の電気掃除機用吸込具。
【請求項３】  第二の吸音材Ｂを不通気性の材料より構成した請求項１又は２記載の電気掃除機用吸込具。
【請求項４】  第一の吸音材Ａと第二の吸音材Ｂの間に隔壁を構成した請求項１〜３のいずれか１記載の電気掃除機用吸込具。
【請求項５】  内部に塵埃を捕集する集塵室と電動送風機を備えた電気掃除機本体に請求項１〜４のいずれか１項に記載の電気掃除機用吸込具と連通するように接続される電気掃除機。
【発明の詳細な説明】
【０００１】
【発明の属する技術分野】
本発明は、実使用時の低騒音化を図った電気掃除機用吸込具及びそれを用いた電気掃除機に関するものである。
【０００２】
【従来の技術】
従来の電気掃除機用吸込具を、図５を用いて説明する。
【０００３】
近年、電気掃除機用吸込具１００において、電気掃除機の高出力を生かした高集塵性能化と、高出力でも安定した軽操作感が求められている。また、実使用時の低騒音化も求められている。従来は、高集塵性能化と軽操作感を実現するため、吸込具１００底面側方に設置したバイパス吸気口１０１からのバイパス通路を設け、床、絨毯への張り付きを抑えると共に、バイパス流を利用し高集塵性能化を目指していた。
【０００４】
【発明が解決しようとする課題】
上記従来の電気掃除機用吸込具にあっては、絨毯等への張り付きを防止するためバイパス吸気口は底面に対する高さ方向に高く設置する必要があり、結果として、実使用時に吸込具内部で、気流の乱流、急拡大や回転ブラシとの衝突等により発生する騒音が、吸込具外部に前記バイパス吸気口から漏れ、実使用時の吸込具の騒音源の一因となっていた。
【０００５】
本発明は、以上のような従来の課題を解決しようとするものであって、効率良く低騒音化を図った電気掃除機用吸込具を提供することを目的としている。
【０００６】
【課題を解決するための手段】
上記目的を達成するために本発明は、下方に塵埃吸引用の開口を有する吸込室と、掃除機本体に連通接続される吸込継手と、外気を取り入れるバイパス吸気口と、前記バイパス吸気口と吸込室を連通するバイパス通路を備え、前記バイパス通路に、前記バイパス吸気口から流入するバイパス気流を吸音する第一の吸音材Ａと、吸込継手から吸込室へ漏れる透過音を吸音する第二の吸音材Ｂを設けたもので、バイパス吸気口から流入する外気がバイパス通路を通過する際に発生する気流音と、吸込継手から吸込室側に漏れる透過音を吸収し、低騒音の電気掃除機用吸込具を提供することができるものである。
【０００７】
【発明の実施の形態】
本発明の請求項１記載の発明は、下方に塵埃吸引用の開口を有する吸込室と、掃除機本体に連通接続される吸込継手と、外気を取り入れるバイパス吸気口と、前記バイパス吸気口と吸込室を連通するバイパス通路を備え、前記バイパス通路に、前記バイパス吸気口から流入するバイパス気流を吸音する第一の吸音材Ａと、吸込継手から吸込室へ漏れる透過音を吸音する第二の吸音材Ｂを設けたもので、吸音材Ａによる整流効果と遮音効果が得られると同時に吸音材Ｂによる消音効果による騒音低減の効果が得られる。
【０００８】
本発明の請求項２記載の発明は、吸込室内に回転ブラシを回転自在に軸支したもので、バイパス流により回転ブラシに付着した塵芥の剥離の効果が得られる。
【０００９】
本発明の請求項３記載の発明は、第二の吸音材Ｂを不通気性の材料より構成したもので、前記第二の吸音材Ｂはバイパス吸気口から流入するバイパス気流を吸音することなく、吸込継手から吸込室へ漏れる透過音を吸音するので、効率的に低騒音化を図ることができるものである。
【００１０】
本発明の請求項４記載の発明は、第一の吸音材Ａと第二の吸音材Ｂの間に隔壁を構成したもので、前記第二の吸音材Ｂはバイパス吸気口から流入するバイパス気流を吸音することなく、吸込継手から吸込室へ漏れる透過音を吸音するので、効率的に低騒音化を図ることができると共に前記第二の吸音材Ｂを安価で軽量の通気性材料より構成できるものである。
【００１１】
本発明の請求項５記載の発明は、内部に塵埃を捕集する集塵室と電動送風機を備えた電気掃除機本体に請求項１〜４のいずれか１項に記載の電気掃除機用吸込具と連通するように接続される電気掃除機で、騒音が低く静かに掃除することができるものである。
【００１２】
【実施例】
（実施例１）
以下本発明の第１の実施例を、図１及び図２を用いて説明する。
【００１３】
図１において、１は吸込具本体で、外郭部材上部２と外郭部材下部３の間に軟性材で形成された緩衝材であるバンパー４を介して構成したものである。また、吸込具本体１の略中央には、外郭部材上部２と外郭部材下部３に回動自在に狭持されている吸込継手５があり、吸込継手５には電気掃除機に接続される接続パイプ６が回転自在に設けられている。吸込継手５から接続パイプ６には一連の連通孔があり、この連通孔を塵埃が通過して電気掃除機に集塵される。
【００１４】
吸込具本体１の前方には、下方開口の塵埃を吸引する入口である吸込室１２があり、吸込室１２内部には被掃除面上に存在する塵埃を収集する目的の回転ブラシ１３が回転自在に設けられている。また、吸込室１２と前記吸込継手５及び接続パイプ６を連通する吸込口７が設けられている。
【００１５】
また、外郭部材上部２は外気と吸込室１２内を連通するバイパス通路２２を回転ブラシ１３の上部近傍に有し、バイパス通路２２内にバイパス吸気口２３から流入するバイパス気流を吸音する第一の吸音材Ａ２４と吸込継手５から吸込室１２へ漏れる透過音を吸音する第二の吸音材Ｂ２５を設けている。第一の吸音材Ａ２４は通気性の材料より、第二の吸音材Ｂ２５は不通気性の材料より構成されている。
【００１６】
図２において、吸込具本体１の後方には、吸込継手５により左右に分離された部屋状の空間が設けられ、その一方に回転ブラシ１３を回転させるための駆動装置であるモーター１０が設けられている駆動室８がある。また、モーター１０を制御するための制御回路１１は、駆動室８と対の方向にある制御室９に設けられている。また、モーター１０の駆動力が伝達されることで、回転ブラシ１３を回転駆動させている。
【００１７】
モーター１０によって回転駆動される回転ブラシ１３において、回転ブラシ１３の回転中心軸として略棒状の基材２１がある。基材２１の表面には、基材２１の表面に向かって開口する整数倍の数で複数の溝帯７５が長手方向に設けられ、基材２１は溝帯７５ともに螺旋状に捻られている。
【００１８】
また、フロアー上などで拭き機能の役割を持つ毛ブラシ１８とじゅうたんパイル上から塵埃を剥離させる機能の役割を持つ周ブレード１７とが交互に基材２１に設けられるように、前記毛ブラシ１８と前記周ブレード１７の一方の端部に溝帯７５に差し通し、基材２１に固定する基体７６が設けられている。更に前記回転ブラシ１３の回転方向に対して少なくとも前記周ブレード１７の回転方向に対する前面部分と隣接する前記毛ブラシ１８の後面の間に挟まれる基材２１の表面部に接着固定された補助ブレードが、前記毛ブラシ１８の後面に向かって伸びるように設けてある。
【００１９】
基材２１の一方の端部には、モーター１０の回転駆動を伝達するためのギアが設けられた台座であるプーリーダイ１５が圧入して固定されている。また、プーリーダイ１５の端部には、回転ブラシ１３が吸込室１２内において自在に回転できるように軸支する軸受ａ１４が設けられている。同様に、プーリーダイ１５の逆端にも、回転ブラシ１３が自在に回転するように軸支する軸受ｂ２０を軸支する台座として、軸受支え１９がプーリーダイ１５の逆端に設けられている。
【００２０】
上記構成による作用は以下の通りである。
【００２１】
第一の吸音材Ａ２４はバイパス吸気口２３から流入するバイパス気流を吸音するが、第二の吸音材Ｂ２５はバイパス吸気口２３から流入するバイパス気流を吸音することなく、吸込継手５から吸込室１２へ漏れる透過音を吸音するので、効率的に低騒音化を図ることができる。
【００２２】
上記説明では回転ブラシ１３の回転駆動源としてモーター１０を構成した内容で行ったが、他の方法として吸込口７、吸込室１２に発生する吸込気流を回転ブラシ１３に設けられた周ブレード１７に噴射作用されることにより回転ブラシ１３を回転駆動されることも考えられるものであり、同等の低騒音化を図ることができるものである。
【００２３】
さらに、吸込室１２に回転ブラシ１３を構成しない吸込具本体１も考えられるものであり、同等の低騒音化を図ることができるものである。
【００２４】
（実施例２）
次に本発明の第２の実施例を図３を用いて説明する。なお上記第１の実施例と同一構成部品については同一符号を付して、その説明を省略する。
【００２５】
外郭部材上部２は外気と吸込室１２内を連通するバイパス通路２２を回転ブラシ１３の上部近傍に有し、バイパス通路２２内で第一の吸音材Ａ２４と第二の吸音材Ｂ２５の間に隔壁２６が構成されている。
【００２６】
上記構成による作用は以下の通りである。
【００２７】
第一の吸音材Ａ２４はバイパス吸気口２３から流入するバイパス気流を吸音するが、第二の吸音材Ｂ２５はバイパス吸気口２３から流入するバイパス気流を吸音することなく、吸込継手５から吸込室１２へ漏れる透過音を吸音するので、効率的に低騒音化を図ることができる。
【００２８】
（実施例３）
次に本発明の第３の実施例を図４を用いて説明する。なお上記第１または第２の実施例と同一構成部品については同一符号を付して、その説明を省略する。
【００２９】
電気掃除機本体５１に実施例１または２記載の吸込具本体１を集塵口５２と連通して接続するために、軟性材にて構成されるホース５３とホース５３の一方端面に設けられた接続体５４が、集塵口５２に接続されるように設けられている。
【００３０】
また、ホース５３の逆端面には電気掃除機本体５１を制御する手元部５５が設けられている。更に手元部５５から吸込具本体１を接続するために延長管５６が設けられている。
【００３１】
上記構成による作用は以下の通りである。
【００３２】
吸込具本体１をセットした電気掃除機では、騒音が低く静かに掃除することができる。
【００３３】
【発明の効果】
本発明の請求項１記載の発明によれば、第一の吸音材Ａによる整流効果と遮音効果が得られると同時に第二の吸音材Ｂによる消音効果による騒音低減の効果を得ることができる。
【００３４】
本発明の請求項２記載の発明によれば、第一の吸音材Ａによる整流効果と遮音効果が得られると同時に第二の吸音材Ｂによる消音効果による騒音低減の効果を得ることができる。さらに、バイパス流により回転ブラシに付着した塵芥の剥離の効果を得ることができる。
【００３５】
本発明の請求項３記載の発明によれば、第二の吸音材Ｂはバイパス吸気口から流入するバイパス気流を吸音することなく、吸込継手から吸込室へ漏れる透過音を吸音するので、効率的に低騒音化を図ることができる。
【００３６】
本発明の請求項４記載の発明によれば、第二の吸音材Ｂはバイパス吸気口から流入するバイパス気流を吸音することなく、吸込継手から吸込室へ漏れる透過音を吸音するので、効率的に低騒音化を図ることができると共に前記第二の吸音材Ｂを安価で軽量の通気性材料より構成することができる。
【００３７】
本発明の請求項５記載の発明によれば、低騒音の電気掃除機用吸込具を備えているので、静かに掃除することができる。
【図面の簡単な説明】
【図１】
本発明の第１の実施例を示す電気掃除機用吸込具の中央縦断面図
【図２】
同電気掃除機用吸込具の内部構成を示す平面図
【図３】
本発明の第２の実施例を示す電気掃除機用吸込具の中央縦断面図
【図４】
本発明の第３の実施例を示す電気掃除機用吸込具及びそれを用いた電気掃除機の全体斜視図
【図５】
従来の電気掃除機用吸込具の全体斜視図
【符号の説明】
２  外郭部材上部
５  吸込継手
６  接続パイプ
１２  吸込室
１３  回転ブラシ
２２  バイパス通路
２３  バイパス吸気口
２４  第一の吸音材Ａ
２５  第二の吸音材Ｂ
２６  隔壁
【手続補正２】
【補正対象書類名】図面
【補正対象項目名】図１
【補正方法】変更
【補正の内容】
【図１】
2000033059.tif 000001
【手続補正３】
【補正対象書類名】図面
【補正対象項目名】図２
【補正方法】変更
【補正の内容】
【図２】
2000033059.tif 000002
【手続補正４】
【補正対象書類名】図面
【補正対象項目名】図４
【補正方法】変更
【補正の内容】
【図４】
2000033059.tif 000003